(57)【要約】【課題】制御装置への防水をより向上させ、修理、点検を容易にした洗濯機を実現する。【解決手段】制御基板４と、制御基板４を装着する舟状ケース５と、制御基板４を上面から覆い、舟状ケース５に装着されるカバー体６から構成される制御装置３を備え、制御基板３は、舟状ケース５に設けられた制御基板３を引っ掛ける爪５ｄによる保持およびウレタン樹脂等の防湿用ポッティング材５ａを充填することにより舟状ケース５の底面に固定され、かつ、上方をカバー体６で覆われ、制御装置３は洗濯機筐体１の上部にカバー体６が下面に来るように上下反転させて配置する構成にしているため、万が一洗濯機内外から水漏れを起こしたとしても、制御装置３に漏れた水がかかることなく、安全に洗濯を行うことができる。【選択図】図１
2010063750.tif 000002
【特許請求の範囲】
【請求項１】
前方に衣類投入口を有し水平または前方から後方に向かって下向きに傾斜した回転中心軸を有する回転ドラムと、前記回転中心軸の略延長線上に水槽開口部を有し前記回転ドラムを回転自在に収容する水槽と、前記回転中心軸の略延長線上に筐体開口部を有し、前記水槽を遥動自在に収容する洗濯機筐体と、前記洗濯機筐体の上部を覆い、取り外し可能に固着されたトップボードと、前記洗濯機筐体に取り付けられ前記筐体開口部を開閉自在に覆う扉体と、洗濯、すすぎ、脱水の一連の動作を制御する制御基板、前記制御基板を内装する上面側が開放された舟状ケース、前記制御基板を上面から覆い、前記舟状ケースに装着される難燃性または不燃性の材料から成るカバー体により構成される制御装置とを備え、前記制御基板は、前記舟状ケースに設けられた前記制御基板を引っ掛ける爪による保持およびウレタン樹脂等の防湿用ポッティング材を充填することにより前記舟状ケースの底面に固定され、かつ、上方を前記カバー体で覆われ、前記制御装置は前記洗濯機筐体の上部に前記カバー体が下面に来るように上下反転させて配置する構成にした洗濯機。
【請求項２】
制御装置は、カバー体が舟状ケースの内側に入り込む構成とし、前記カバー体と前記舟状ケースの固着はネジにより行う構成にした請求項１に記載の洗濯機。
【請求項３】
制御装置は、舟状ケースの側面の少なくとも１つの面に腕を設け、洗濯機筐体への設置は前記腕により行う構成にした請求項１または２に記載の洗濯機。
【請求項４】
制御装置は、前記制御装置に商用電源を供給する電源コードと洗濯機内に設けられた電子部品を駆動させるためのリード線を前記制御装置内に挿入するための開口部を少なくとも１つ設けた請求項１〜３のいずれか１項に記載の洗濯機。
【発明の詳細な説明】
【技術分野】
【０００１】
本発明は、洗濯、すすぎ、脱水の一連の行程を実行する洗濯機に関するものである。
【背景技術】
【０００２】
図４は、従来のこの種の洗濯機の断面図であり、以下図面に従ってその構成を説明する。図４に示すように、従来のこの種の洗濯機は、洗濯機筐体３２と、洗濯機筐体３２内に配され水槽本体３３ａと水槽蓋３３ｂとから構成された水槽３３と、水槽３３内に回転自在に収容され有底円筒形に形成されるとともにその回転軸心が開口端側から底面側に向けて下向き傾斜となるように配置された回転ドラム３５と、水槽蓋３３ｂの回転ドラム３５の開口端の対応位置に設けられ洗濯物を出し入れするための洗濯物出入口４２と、回転ドラム３５を回転駆動するモータ３４と、水槽３３内に給水する給水手段３６と、水槽３３内の水を排水する排水手段４３と、モータ３４、給水手段３６および排水手段４３等の動作を制御する制御装置３８と、制御装置３８に商用電源を供給する電源コード３７と、洗濯機筐体３２の正面側に形成された傾斜面に設けられた開口部４０と、この開口部４０に開閉自在に設けられた扉体４１と、開口部４０と洗濯物出入口４２とを繋ぐシール部材３９とを備え、制御装置３８と電源コード３７とのコード接続部３７ａは、洗濯機筐体３２内の水槽３３の下方正面側に位置し、水槽蓋３３ｂと水槽本体３３ａの接合部４４および洗濯物出入口４２とシール部材３９の接合部４５よりも正面側に位置したことを特徴としていた。
【０００３】
この構造により、水槽本体３３ａと水槽蓋３３ｂの接合部４４および洗濯物出入口４２とシール部材３９の接合部４５から、万一水漏れが起こった場合にも、制御装置３８や電源コード３７のコード接続部３７ａは、水槽本体３３ａと水槽蓋３３ｂの接合部４４および洗濯物出入口４２とシール部材３９の接合部４５よりも正面側に位置しているために、水槽底面に漏れて滴下する水が直接かかることがない（例えば、特許文献１参照）。
【特許文献１】特開２００６−６８０５５号公報
【発明の開示】
【発明が解決しようとする課題】
【０００４】
しかしながら、このような従来の技術により実現される洗濯機は、回転ドラムの回転中に衣類の偏りが発生すると、回転ドラムは偏心力が働くため、水槽は上下や左右に大きく振れ動く場合がある。この時、万が一水槽本体と水槽蓋の接合部または洗濯物出入口とシール部材の接合部から水漏れが起こっていると、水槽の揺れとともに漏れた水が飛び散る可能性がある。その場合、制御装置に水がかかることが十分に考えられる。
【０００５】
また、点検、修理、部品交換のことを考慮し、製品下部の前面側に制御装置を配置しているため、電源コードや電子部品からのリード線をその部分に集約せねばならず、結果的にそれらの長さが長くなり、コストがかかるという問題があった。
【０００６】
本発明は、上記課題を解決するもので、制御装置を洗濯機筐体上部に配置するとともに、制御装置を漏水浸入防止効果の大きい構成とすることで、万が一、洗濯中に水漏れしたとしても、制御装置に水がかかる心配はないため、安全に洗濯を行える洗濯機を提供することを目的としている。
【課題を解決するための手段】
【０００７】
前記従来の課題を解決する為に、本発明の洗濯機は、前方に衣類投入口を有し水平または前方から後方に向かって下向きに傾斜した回転中心軸を有する回転ドラムと、前記回転
中心軸の略延長線上に水槽開口部を有し前記回転ドラムを回転自在に収容する水槽と、前記回転中心軸の略延長線上に筐体開口部を有し、前記水槽を遥動自在に収容する洗濯機筐体と、前記洗濯機筐体の上部を覆い、取り外し可能に固着されたトップボードと、前記洗濯機筐体に取り付けられ前記筐体開口部を開閉自在に覆う扉体と、洗濯、すすぎ、脱水の一連の動作を制御する制御基板、前記制御基板を内装する上面側が開放された舟状ケース、前記制御基板を上面から覆い、前記舟状ケースに装着される難燃性または不燃性の材料から成るカバー体により構成される制御装置とを備え、前記制御基板は、前記舟状ケースに設けられた前記制御基板を引っ掛ける爪による保持およびウレタン樹脂等の防湿用ポッティング材を充填することにより前記舟状ケースの底面に固定され、かつ、上方を前記カバー体で覆われ、前記制御装置は前記洗濯機筐体の上部に前記カバー体が下面に来るように上下反転させて配置する構成にしている。
【発明の効果】
【０００８】
本発明の洗濯機は、洗濯中に万が一水漏れを起こしたとしても、制御装置は洗濯機筐体上部に配置するとともに、漏水浸入防止効果の大きい構成としているため、漏れた水がかかることなく、安全に洗濯を行うことができる。また、制御装置の上面をトップボードで覆っており、なおかつ制御装置内のカバー体が下面に来るように反転させて設置しているため、制御装置に水が浸入することはない。また、制御装置は洗濯機の上部に配置しているため、点検、修理、部品交換の際、トップボードを取り外すだけで容易に作業を行うことができる。
【発明を実施するための最良の形態】
【０００９】
第１の発明は、前方に衣類投入口を有し水平または前方から後方に向かって下向きに傾斜した回転中心軸を有する回転ドラムと、前記回転中心軸の略延長線上に水槽開口部を有し前記回転ドラムを回転自在に収容する水槽と、前記回転中心軸の略延長線上に筐体開口部を有し、前記水槽を遥動自在に収容する洗濯機筐体と、前記洗濯機筐体の上部を覆い、取り外し可能に固着されたトップボードと、前記洗濯機筐体に取り付けられ前記筐体開口部を開閉自在に覆う扉体と、洗濯、すすぎ、脱水の一連の動作を制御する制御基板、前記制御基板を内装する上面側が開放された舟状ケース、前記制御基板を上面から覆い、前記舟状ケースに装着される難燃性または不燃性の材料から成るカバー体により構成される制御装置とを備え、前記制御基板は、前記舟状ケースに設けられた前記制御基板を引っ掛ける爪による保持およびウレタン樹脂等の防湿用ポッティング材を充填することにより前記舟状ケースの底面に固定され、かつ、上方を前記カバー体で覆われ、前記制御装置は前記洗濯機筐体の上部に前記カバー体が下面に来るように上下反転させて配置する構成にしたことにより、万が一水漏れを起こしたとしても、制御装置に漏れた水がかかることなく、安全に洗濯を行うことができる。また、制御装置の上面をトップボードで覆っており、なおかつ制御装置内のカバー体が下面に来るように反転させて設置しているため、制御装置に水が浸入することはない。また、制御装置は洗濯機の上部に配置しているため、点検、修理、部品交換の際、トップボードを取り外すだけで容易に作業を行うことができる。
【００１０】
第２の発明は、特に第１の発明の制御装置は、カバー体が舟状ケースの内側に入り込む構成とし、前記カバー体と前記舟状ケースの固着はネジにより行う構成にしたことにより、洗濯機を屋外に設置した家庭において、雨が洗濯機にかかり、万が一、トップボードと洗濯機筐体の接合面から内部に水が浸入し、制御装置側面に到達したとしても、カバー体が舟状ケースの内側に入り込んでいるため、舟状ケース側面からカバー体側面に伝わるように流れ、制御装置内に水が浸入することを防止できる。
【００１１】
第３の発明は、特に第１または第２の発明の制御装置は、前記舟状ケースの側面の少なくとも１つの面に腕を設け、前記洗濯機筐体への設置は前記腕により行う構成にしたことにより、万が一、トップボードと洗濯機筐体の接合面から内部に水が浸入し、腕から制御
装置に水が流れたとしても、腕を伝って制御装置側面に到達し、その後、舟状ケース側面からカバー体側面に伝わるように流れるため、制御装置内に水が浸入することを防止できる。
【００１２】
第４の発明は、特に第１〜３のいずれかの発明の制御装置は、前記制御装置に商用電源を供給する電源コードと洗濯機内に設けられた電子部品を駆動させるためのリード線を前記制御装置内に挿入するための開口部を少なくとも１つ設けたことにより、それぞれの線の長さを最短とすることができ、無駄なコストアップを回避することができる。
【００１３】
（実施の形態１）
本発明の第１の実施の形態における洗濯機について、図１〜３を用いて説明する。図１は本実施の形態における洗濯機の断面図、図２は本実施の形態における洗濯機の平面図、図３は図２に示される制御装置のＡ−Ａ断面図である。図１において、前方に円状の衣類投入口１３を有する回転ドラム８と、回転ドラム８を回転自在に収容する水槽２とを洗濯機筐体１内に配設し、洗濯機筐体１の正面に設けられた扉体１１から回転ドラム８内へ衣類の出し入れを行うドラム形式の洗濯機を構成している。
【００１４】
回転ドラム８は、有底円筒形の開口部側を洗濯機筐体１の正面側に、底面側を洗濯機筐体１の背面側にして、その回転軸心が開口部側から底面側に向けて下向き傾斜となるように水槽２内に配置され、その回転駆動軸９は水槽２の背面に設けられた軸受１０で軸支されている。水槽２の下面に取り付けられたドラム駆動モータ７の回転駆動軸に装着された駆動プーリ１６ａと、回転駆動軸９側の従動プーリ１６ｂとの間に駆動ベルト１７が架設されたベルト駆動構造により、ドラム駆動モータ７によって回転ドラム８は回転駆動される。
【００１５】
洗濯機筐体１内部上方に配した給水手段（図示せず）より水槽２内部に洗濯水が給水され、回転ドラム８の周面には多数の透孔１８が形成されて水槽２内との間で水の流通ができるように構成され、回転ドラム８の回転により衣類を上方に持ち上げ、上方から落下させる叩き洗いの作用がなされるように構成されている。
【００１６】
なお、本実施の形態では、回転ドラム８の回転軸心は開口部側から底面側に向けて下向き傾斜としているが、水平としてもよい。
【００１７】
洗濯機筐体１上部内方には、洗濯、すすぎ、脱水、等の一連の行程を制御する制御装置３を配設している。
【００１８】
図２および図３において、制御装置３の構成および取り付け構成について説明する。制御装置３は洗濯、すすぎ、脱水、等の一連の行程を制御し、ドラム駆動モータ７等を制御するマイクロコンピュータ等を内蔵した制御基板４と、制御基板４を装着する舟状ケース５と、制御基板４を上面から覆い、舟状ケース５に装着されるカバー体６から構成される。
【００１９】
制御基板４は舟状ケース５の底面に複数設けられたリブ体５ｃに乗せ、爪５ｄに引っ掛けることで仮固定する。仮固定後、舟状ケース５内にウレタン樹脂等の防湿用ポッティング材５ａを充填することで本固定する。制御基板４を舟状ケースに設置する時、制御基板４の所定の位置に所定の大きさの穴４ａを開け、舟状ケース５側に穴４ａの位置に該当する位置に底面にピン５ｅを設けることで、制御基板４の舟状ケース５への誤取付防止を行っている。
【００２０】
舟状ケース５の上部側面には周状の溝５ｆを設けており、そこに難燃性または不燃性の
材料で構成したカバー体６の外周側面の端部を挿入する。その後、舟状ケース５の側面に設けられたボス５ｇとカバー体の側面に設けられたボス６ａをネジにて固定する。これにより、カバー体６が舟状ケース５の内側に入り込む構成としている。舟状ケース５の隣り合う２つの側面にはそれぞれ腕５ｂを外方に突出させて設けており、腕５ｂの両端に腕５ｂの座面から舟状ケース５の側面に向けて三角リブ５ｈを設けている。
【００２１】
制御装置３の洗濯機筐体１への取り付けは、カバー体６が下面に来るように上下反転させた状態で、舟状ケース５を直接洗濯機筐体１へ設置するのではなく、２つの腕５ｂを洗濯機筐体１の後部と右側部へそれぞれ乗せることで行っており、制御装置３が直接洗濯機筐体１へ接触しない構造になっている。
【００２２】
この制御装置３の上方には、トップボード１２を洗濯機筐体１にねじで取り付けて、制御装置３の上方を覆うとともに、洗濯機筐体１の上面とほぼ同一高さの平面となるようにして洗濯機筐体１の上面を覆うようにしている。制御装置３の点検、修理、部品交換は、このトップボード１２を取り外して行う。
【００２３】
また、制御装置３には、洗濯機内に設けられたドラム駆動モータ７等の電子部品を駆動するためのリード線１４および制御装置３に商用電源を供給する電源コード１５を挿入するためのリード線開口部１４ａおよび電源コード開口部１５ａがそれぞれの線の長さが最短になる位置に設けられている。
【００２４】
以上のように構成された洗濯機について、以下その動作、作用を説明する。洗濯、脱水を行う際には、扉体１１を開状態にして回転ドラム８内に衣類を投入し、給水手段により、水槽２内に所定量給水し、ドラム駆動モータ７の駆動により回転ドラム８を回転させ、洗濯、脱水が行われる。
【００２５】
しかしながら、回転ドラム８の回転中に衣類の偏りが発生すると、回転ドラム８は偏心力が働くため、水槽２は上下や左右に大きく振れ動く場合がある。この時、水槽２には部分的な応力が加わるため、水槽２と扉体１１の接合部から水漏れが発生する恐れがある。さらに、給水手段の故障により、水漏れを起こす可能性がある。しかし、制御装置３は洗濯機筐体１上部に配置しているため、水が直接かかることはない。
【００２６】
また、洗濯機を屋外に設置している家庭では、雨がかかった場合、トップボード１２と洗濯機筐体１の接合部から水が浸入する可能性がある。しかし、２つの腕５ｂを洗濯機筐体１の後部と右側部へそれぞれ乗せることで制御装置３が直接洗濯機筐体１へ接触しない構造とし、さらに腕５ｂに設けた三角リブ５ｈを伝って制御装置３側面に水を流すようにしているため、制御装置３上面に水が到達することはない。
【００２７】
また、万が一制御装置３上面に水が到達したとしても、制御装置３は洗濯機筐体１上部にカバー体６が下面に来るように上下反転させて配置しているため、制御装置３内に水が浸入することはない。
【００２８】
また、三角リブ５ｈを伝って舟状ケース５側面に到達した水は、カバー体６が舟状ケース５の内側に挿入して固定されているため、舟状ケース５の側面からカバー体６側面を伝って水は流れ、制御装置３内に水が浸入することはない。
【００２９】
このため、漏水による機器の故障、事故の恐れもなく、また、過度の防水構造を施す必要がないため、点検、修理、部品交換の際にも、トップボード１２を取り外すだけで、制御装置３内の作業が容易に行える洗濯機を構成することができる。
【００３０】
また、制御装置３にはリード線開口部１４ａおよび電源コード開口部１５ａをリード線１４および電源コード１５が最も短くなる位置に設けているため、無駄なコストアップを回避することができる。
【産業上の利用可能性】
【００３１】
以上のように、本発明にかかる洗濯機は、制御装置や電源コードの防水をより向上させ、修理、点検を容易にすることが可能となるので、比較的揺れが大きい回転ドラムを備えた洗濯機等として有用である。
【図面の簡単な説明】
【００３２】
【図１】本発明の実施の形態１における洗濯機の断面図
【図２】同洗濯機の平面図
【図３】同洗濯機の図２に示される制御装置のＡ−Ａ断面図
【図４】従来の洗濯機の断面図
【符号の説明】
【００３３】
１  洗濯機筐体
２  水槽
３  制御装置
４  制御基板
４ａ  穴
５  舟状ケース
５ａ  ポッティング材
５ｂ  腕
５ｃ  リブ体
５ｄ  爪
５ｅ  ピン
５ｆ  溝
５ｇ  ボス
５ｈ  三角リブ
６  カバー体
６ａ  ボス
７  ドラム駆動モータ
８  回転ドラム
９  回転駆動軸
１０  軸受
１１  扉体
１２  トップボード
１３  衣類投入口
１４  リード線
１４ａ  リード線開口部
１５  電源コード
１５ａ  電源コード開口部
１６ａ  駆動プーリ
１６ｂ  従動プーリ
１７  駆動ベルト
１８  透孔
【図１】
2010063750.tif 000003
【図２】
2010063750.tif 000004
【図３】
2010063750.tif 000005
【図４】
2010063750.tif 000006